(57)【要約】【課題】Ｗｅｂ画面の表示に起因する障害等が発生して再起動を行なった場合でも、監視映像を継続して表示させることが可能になるＩＰチューナを提供する。【解決手段】監視カメラにより撮影された監視映像を取得し、Ｗｅｂページの画像を取得し、前記取得された監視映像とＷｅｂページの画像とをモニタの画面に分割して表示させ、前記Ｗｅｂページの画像を取得する機能を予め設定された条件に従い再起動する。【選択図】      図４
2018056947.tif 000002
【特許請求の範囲】
【請求項１】
監視カメラにより撮影された監視映像を取得する監視映像取得手段と、
Ｗｅｂページの画像を取得するＷｅｂ画像取得手段と、
前記監視映像取得手段により取得された監視映像と前記Ｗｅｂ画像取得手段により取得されたＷｅｂページの画像とをモニタの画面に分割して表示させる画面分割表示手段と、
前記Ｗｅｂ画像取得手段によるＷｅｂページの画像を取得する機能を予め設定された条件に従い再起動するＷｅｂ画像取得再起動手段と、
を備えたＩＰチューナ。
【請求項２】
前記Ｗｅｂ画像取得手段は、Ｗｅｂページの画像をメモリに展開して取得し、
前記Ｗｅｂ画像取得再起動手段は、前記Ｗｅｂ画像取得手段によるＷｅｂページの画像を取得する機能を当該Ｗｅｂページの画像が展開される前記メモリの使用量が予め設定された閾値以上になった場合に再起動する、
請求項１に記載のＩＰチューナ。
【請求項３】
前記Ｗｅｂ画像取得再起動手段は、前記Ｗｅｂ画像取得手段によるＷｅｂページの画像を取得する機能を予め設定された時間に従い再起動する、
請求項１に記載のＩＰチューナ。
【請求項４】
前記監視映像取得手段は、監視カメラにより撮影され符号化された監視映像を入力する監視映像入力手段と、前記監視映像入力手段により入力された監視映像を復号化する監視映像復号化手段と、前記監視映像復号化手段により復号化された監視映像をメモリに展開する監視映像展開手段とを有し、前記監視映像展開手段によりメモリに展開された監視映像を取得し、
前記Ｗｅｂ画像取得手段は、Ｗｅｂページのデータを入力するＷｅｂページ入力手段と、前記Ｗｅｂページ入力手段により入力されたＷｅｂページのデータを画像データに復号化するＷｅｂページ復号化手段と、前記Ｗｅｂページ復号化手段により復号化されたＷｅｂページの画像をメモリに展開するＷｅｂページ展開手段とを有し、前記Ｗｅｂページ展開手段によりメモリに展開されたＷｅｂページの画像を取得する、
請求項１乃至請求項３の何れか１項に記載のＩＰチューナ。
【請求項５】
監視カメラにより撮影された監視映像を取得し、
Ｗｅｂページの画像を取得し、
前記取得された監視映像とＷｅｂページの画像とをモニタの画面に分割して表示させ、
前記Ｗｅｂページの画像を取得する機能を予め設定された条件に従い再起動する、
複数画面生成方法。
【請求項６】
前記Ｗｅｂページの画像の取得は、Ｗｅｂページの画像をメモリに展開して取得し、
前記再起動は、前記Ｗｅｂページの画像を取得する機能を当該Ｗｅｂページの画像が展開される前記メモリの使用量が予め設定された閾値以上になった場合に再起動する、
請求項５に記載の複数画面生成方法。
【請求項７】
前記再起動は、前記Ｗｅｂページの画像を取得する機能を予め設定された時間に従い再起動する、
請求項５に記載の複数画面生成方法。
【請求項８】
前記監視映像の取得は、監視カメラにより撮影され符号化された監視映像を入力し、前記入力された監視映像を復号化し、前記復号化された監視映像をメモリに展開し、前記メモリに展開された監視映像を取得するものであり、
前記Ｗｅｂページの画像の取得は、Ｗｅｂページのデータを入力し、前記入力されたＷｅｂページのデータを画像に復号化し、前記復号化されたＷｅｂページの画像をメモリに展開し、前記メモリに展開されたＷｅｂページの画像を取得するものである、
請求項５乃至請求項７の何れか１項に記載の複数画面生成方法。
【発明の詳細な説明】
【技術分野】
【０００１】
本発明の実施形態は、例えば映像監視システムにおける映像の再生に使用されるＩＰチューナおよび複数画面生成方法に関する。
【背景技術】
【０００２】
例えば、災害監視用の映像監視システムとしては、ダムや河川の流域に複数の監視カメラを設置し、当該複数の監視カメラにより撮影されている各監視映像を、その流域を管理する地方整備局のモニタ（画像表示装置）に表示させて監視するものがある。
【０００３】
このような映像監視システムでは、監視カメラにより撮影された監視映像を、広域イーサネット（登録商標）等のＩＰベースのネットワークを介してモニタ側に伝送しているが、映像信号は情報量が大きくそのまま扱うことは困難である。このため、前記監視カメラにより得られた監視映像の映像データは、エンコーダ装置によりＭＰＥＧ等の予め設定された圧縮方式に従い圧縮（符号化）して伝送し、前記モニタ側のデコーダ装置（ＩＰチューナ）にてその圧縮を伸長（復号化）してモニタに表示させている。
【０００４】
そして前記モニタ側では、前記複数の監視映像を、前記ＩＰチューナの機能によって当該モニタ画面に切り替えて表示させたり、４分割や６分割にして同時に表示させたりしている。
【０００５】
また前記モニタ側では、前記ＩＰチューナにより、インターネット上のＷｅｂサイトから、例えば監視流域の気象情報（降雨レーダの解析画像等）を載せたＷｅｂページを取得し、そのＷｅｂページの画面（Ｗｅｂ画面）を前記分割した画面に割り当てて前記監視映像と同時に表示させることがある。
【先行技術文献】
【特許文献】
【０００６】
【特許文献１】特開２０１４−２０７６３９号公報
【特許文献２】特開２００９−２９０５２８号公報
【特許文献３】特開２００４−００５３０５号公報
【発明の概要】
【発明が解決しようとする課題】
【０００７】
前記従来のＩＰチューナにおいて、前記Ｗｅｂ画面を含めて前記監視映像と同時にそのそれぞれの画像を複数に分割したモニタの画面に割り当てて表示させる場合、順次更新されるＷｅｂ画面を含めた画像を展開する過程においてメモリを大きく消費することが知られており、メモリリーク等の障害が発生することがある。
【０００８】
このような障害が発生した場合、前記ＩＰチューナのシステム全体を再起動する必要があるが、当該再起動中は、前記Ｗｅｂ画面は勿論、前記監視映像も含めた全ての画面を表示させることができず、一時的ではあっても当該ＩＰチューナの受け持つ全ての監視対象について災害監視を行なえない状況になる。
【０００９】
本発明が解決しようとする課題は、Ｗｅｂ画面の表示に起因する障害等が発生して再起動を行なった場合でも、監視映像を継続して表示させることが可能になるＩＰチューナおよび複数画面生成方法を提供することである。
【課題を解決するための手段】
【００１０】
実施形態のＩＰチューナは、監視カメラにより撮影された監視映像を取得する監視映像取得手段と、Ｗｅｂページの画像を取得するＷｅｂ画像取得手段と、前記監視映像取得手段により取得された監視映像と前記Ｗｅｂ画像取得手段により取得されたＷｅｂページの画像とをモニタの画面に分割して表示させる画面分割表示手段と、前記Ｗｅｂ画像取得手段によるＷｅｂページの画像を取得する機能を予め設定された条件に従い再起動するＷｅｂ画像取得再起動手段と、を備えている。
【図面の簡単な説明】
【００１１】
【図１】実施形態のＩＰチューナ１０を備えた映像監視システムの全体構成を示す概略図。
【図２】前記ＩＰチューナ１０の機能構成を示すブロック図。
【図３】前記ＩＰチューナ１０のプログラムデータに従った複数画面生成処理を示すフローチャート。
【図４】前記ＩＰチューナ１０を備えた映像監視システムのモニタ２０に対するＷｅｂ画面と各監視映像との分割表示状態を示す図。
【発明を実施するための形態】
【００１２】
以下、実施形態のＩＰチューナおよび複数画面生成方法を、図面を参照して説明する。
【００１３】
図１は、実施形態のＩＰチューナ１０を備えた映像監視システムの全体構成を示す概略図である。
【００１４】
この映像監視システムは、ＩＰチューナ１０、モニタ（画像表示装置）２０、複数台（例えば３台）の監視カメラ３０ａ〜３０ｃ、複数台のエンコーダ装置４０ａ〜４０ｃを備えている。
【００１５】
前記各エンコーダ装置４０ａ〜４０ｃとＩＰチューナ１０は、例えば当該映像監視システムの設置者専用の広域ネットワークＮＷを介して通信接続される。
【００１６】
前記各監視カメラ３０ａ〜３０ｃは、例えばダムや河川の流域の監視対象となる場所に設置され、その場所の周辺の映像を撮影し、撮影した映像（監視映像）の映像データを各対応するエンコーダ装置４０ａ〜４０ｃへ出力する。
【００１７】
各エンコーダ装置４０ａ〜４０ｃは、各対応する監視カメラ３０ａ〜３０ｃから入力した監視映像の映像データを、予め設定された圧縮形式のデータ圧縮回路を通して圧縮（符号化）し、圧縮した映像データを、前記広域ネットワークＮＷを介してＩＰチューナ１０へ送信する。
【００１８】
前記ＩＰチューナ１０は、前記広域ネットワークＮＷを介して前記各エンコーダ装置４０ａ〜４０ｃから入力した各監視映像の圧縮（符号化）された映像データを伸長（復号化）する機能、インターネットＷｅｂ−ＮＷを介してユーザ任意のＷｅｂサーバ５０から入力したＷｅｂページのデータ（ＨＴＭＬ形式）を画像データとして復号化する機能、前記復号化された各監視映像の映像データとＷｅｂページの画像データとを、前記モニタ２０の画面を複数に分割した各分割画面Ｇ１〜Ｇ４に対して、それぞれ監視映像１〜３とＷｅｂ画面として割り当て表示させる機能を有する。
【００１９】
図２は、前記ＩＰチューナ１０の機能構成を示すブロック図である。
【００２０】
なお、このＩＰチューナ１０は、「ＩＰデコーダ装置」「画像回覧装置」と称することもある。
【００２１】
このＩＰチューナ１０は、制御部としてＣＰＵ１１を備えている。
【００２２】
このＣＰＵ１１は、プログラムメモリ１２に予め記憶されたプログラムデータ（複数画面生成処理プログラムを含む）に従い当該チューナ１０の各部の動作を制御する。
【００２３】
前記ＣＰＵ１１には、制御信号とデータの入出力バスＢｕｓを介して前記プログラムメモリ１２、通信部１３、デコーダ部１４、作業メモリ１５、表示メモリ１６、リモコン操作入力部１７等が接続される。
【００２４】
前記通信部１３は、ＮＷ通信部１３ａとＷｅｂ−ＮＷ通信部１３ｂの機能を有する。前記ＮＷ通信部１３ａは、前記ＣＰＵ１１からの制御信号に従い、前記広域ネットワークＮＷを介して前記デコーダ装置４０ａ〜４０ｃ（図１参照）と通信接続し、データ圧縮された各監視映像１〜３の映像データを入力する。前記Ｗｅｂ−ＮＷ通信部１３ｂは、前記ＣＰＵ１１からの制御信号に従い、前記インターネットＷｅｂ−ＮＷを介してユーザ任意のＷｅｂサーバ５０と通信接続し、当該Ｗｅｂサーバ５０から配信されているＷｅｂページのデータを入力する。
【００２５】
前記デコーダ部１４は、映像デコーダ部１４ａとＷｅｂページデコーダ部１４ｂの機能を有する。前記映像デコーダ部１４ａは、前記ＣＰＵ１１からの制御信号に従い、前記ＮＷ通信部１３ａにより入力された各監視映像１〜３の圧縮（符号化）された映像データを伸長（復号化）する。前記Ｗｅｂページデコーダ部１４ｂは、前記ＣＰＵ１１からの制御信号に従い、前記Ｗｅｂ−ＮＷ通信部１３ｂにより入力されたＷｅｂページのデータ（ＨＴＭＬ形式）を画像データとして復号化する。
【００２６】
前記作業メモリ１５は、予めその使用エリアが設定された映像展開エリア１５ａとＷｅｂページ展開エリア１５ｂと、他の作業エリア１５ｃを有する。前記映像展開エリア１５ａには、前記ＣＰＵ１１からの制御信号に従い、前記映像デコーダ部１４ａにより復号化された各監視映像１〜３の映像データが展開されて記憶される。前記Ｗｅｂページ展開エリア１５ｂには、前記ＣＰＵ１１からの制御信号に従い、前記Ｗｅｂページデコーダ部１４ｂにより復号化されたＷｅｂページの画像データが展開されて記憶される。前記他の作業エリア１５ｃには、前記ＣＰＵ１１による制御に従い入出力バスＢｕｓに入出力される各種の作業データが必要に応じて記憶される。
【００２７】
前記表示メモリ１６は、前記モニタ２０の表示画面の解像度に対応した表示データの記憶エリアを有する。この表示メモリ１６には、前記ＣＰＵ１１からの制御信号に従い、前記作業メモリ１５の映像展開エリア１５ａに展開された各監視映像１〜３の映像データと、前記作業メモリ１５のＷｅｂページ展開エリア１５ｂに展開されたＷｅｂページの画像データとが、表示データとして、例えば４分割した各分割画面Ｇ１〜Ｇ４の記憶エリアに割り当てられて書き込まれる。
【００２８】
前記リモコン操作入力部１７は、例えば赤外線リモコン１７Ｒのユーザ操作に応じて当該リモコン１７Ｒから送信された操作信号（Ｗｅｂページの選択操作信号、分割画面Ｇ１〜Ｇ４に対する各監視映像１〜３とＷｅｂ画面との割り当て操作信号等）を受信し、当該受信した操作信号を前記ＣＰＵ１１へ出力する。
【００２９】
このように構成されたＩＰチューナ１０は、前記制御部としてのＣＰＵ１１が前記プログラムデータ（１２）に記述された命令に従い回路各部の動作を制御し、ソフトウエアとハードウエアとが協働して動作することにより、以下の動作説明で述べるような、各種の機能を実現する。
【００３０】
次に、前記構成のＩＰチューナ１０の動作について説明する。
【００３１】
図３は、前記ＩＰチューナ１０のプログラムデータに従った複数画面生成処理を示すフローチャートである。
【００３２】
図４は、前記ＩＰチューナ１０を備えた映像監視システムのモニタ２０に対するＷｅｂ画面と各監視映像との分割表示状態を示す図である。
【００３３】
前記ＩＰチューナ１０において、電源が投入されると、前記作業メモリ１５や表示メモリ１６のデータがクリアされてチューナ全体が初期化され、前記通信部１３におけるＮＷ通信部１３とＷｅｂ−ＮＷ通信部１３ｂの各機能が起動される（ステップＳ１）。
【００３４】
ここで、前記リモコン１７Ｒのユーザ操作に応じて前記操作入力部１７からＷｅｂページを選択するための操作信号が入力されたか否か判断される（ステップＳ２）。
【００３５】
前記操作入力部１７からＷｅｂページを選択するための操作信号が入力されたと判断された場合は（ステップＳ２（Ｙｅｓ））、前記各監視カメラ３０ａ〜３０ｃからの監視映像を取得するための監視映像取得制御処理（ステップＳ３ａ〜Ｓ５ａ）と前記Ｗｅｂページの選択操作信号に応じたＷｅｂページを取得するためのＷｅｂページ取得制御処理（ステップＳ３ｂ〜Ｓ５ｂ）とが並行して開始される。
【００３６】
なお、前記操作入力部１７からＷｅｂページを選択するための操作信号が入力されてないと判断された場合は（ステップＳ２（Ｎｏ））、前記監視映像取得制御処理（ステップＳ３ａ〜Ｓ５ａ）のみ開始される。
【００３７】
前記監視映像取得制御処理（ステップＳ３ａ〜Ｓ５ａ）が開始されると、前記各エンコーダ装置４０ａ〜４０ｃ（図１参照）から送信された各監視映像（映像１〜映像３）の圧縮（符号化）された映像データが、広域ネットワークＮＷを介してＮＷ通信部１３ａに入力される（ステップＳ３ａ）。
【００３８】
前記ＮＷ通信部１３ａに入力された各監視映像の圧縮（符号化）された映像データは、前記映像デコーダ部１４ａに送られ、当該映像デコーダ部１４ａにて伸長（復号化）される（ステップＳ４ａ）。
【００３９】
前記映像デコーダ部１４ａにて伸長（復号化）された各監視映像（映像１〜映像３）の映像データは、前記作業メモリ１５の映像展開エリア１５ａに展開されて記憶される（ステップＳ５ａ）。
【００４０】
一方、前記Ｗｅｂページ取得制御処理（ステップＳ３ｂ〜Ｓ５ｂ）が開始されると、前記操作入力部１７から入力されたＷｅｂページの選択操作信号に応じたＷｅｂページのデータが、インターネットＷｅｂ−ＮＷを介してＷｅｂ−ＮＷ通信部１３ｂに入力される（ステップＳ３ｂ）。
【００４１】
前記Ｗｅｂ−ＮＷ通信部１３ｂに入力されたＷｅｂページのデータは、前記Ｗｅｂページデコーダ部１４ｂに送られ、当該Ｗｅｂページデコーダ部１４ｂにて復号化される（ステップＳ４ｂ）。
【００４２】
前記Ｗｅｂページデコーダ部１４ｂにて復号化されたＷｅｂページの画像データは、前記作業メモリ１５のＷｅｂページ展開エリア１５ｂに展開されて記憶される（ステップＳ５ｂ）。この際、前記Ｗｅｂページ展開エリア１５ｂには、連続的に更新されるＷｅｂページの画像データを、後述のモニタ２０に途切れなく表示させるために、最新の画像データだけでなく、直前の幾つかのタイミングで入力された画像データも残して展開されるため、当該Ｗｅｂページ展開エリア１５ｂのメモリの消費は大きくなる。
【００４３】
ここで、前記Ｗｅｂページ展開エリア１５ｂにおいて前記Ｗｅｂページの画像データを展開することにより使用されているメモリ使用量が、当該Ｗｅｂページ展開エリア１５ｂの全メモリ容量のうちの予め設定された閾値以上に達したか否か判断される（ステップＳ８）。
【００４４】
前記Ｗｅｂページ展開エリア１５ｂにおけるメモリ使用量の閾値とは、当該Ｗｅｂページ展開エリア１５ｂをもとにメモリリーク等の障害が発生する恐れが出はじめる値であり、例えば当該閾値は当該Ｗｅｂページ展開エリア１５ｂの全メモリ容量の７０％に設定される。
【００４５】
そして、前記Ｗｅｂページ展開エリア１５ｂのメモリ使用量が、予め設定された閾値以上に達していない場合は（ステップＳ８（Ｎｏ））、前記映像展開エリア１５ａに展開された前記各監視映像（映像１〜映像３）の映像データと、前記Ｗｅｂページ展開エリア１５ｂに展開された前記Ｗｅｂページの画像データとを、前記表示メモリ１６の記憶エリアを４分割した各分割画面Ｇ１〜Ｇ４用の表示データエリアに対して、前記操作入力部１７からの分割画面割り当てのための操作信号に従い割り当てた分割画面データが生成される（ステップＳ６）。
【００４６】
ここでは、例えば分割画面Ｇ１にＷｅｂ画面のデータ、分割画面Ｇ２に監視映像１のデータ、分割画面Ｇ３に監視映像２のデータ、分割画面Ｇ４に監視映像３のデータを割り当てた分割画面データが生成される（ステップＳ６）。そして、前記生成された分割画面データが表示メモリ１６に書き込まれ、図４（Ａ）に示すように、モニタ２０の表示画面に表示される（ステップＳ７）。
【００４７】
この後、前記操作入力部１７に終了のための操作信号が入力されない状態では（ステップＳ１１（Ｎｏ））、前記同様に、監視映像取得制御処理からの分割画面表示（ステップＳ２→Ｓ３ａ〜Ｓ５ａ，Ｓ６，Ｓ７）とＷｅｂページ取得制御処理からの分割画面表示（ステップＳ２→Ｓ３ｂ〜Ｓ５ｂ，Ｓ８，Ｓ６）とが並行して実行され、前記Ｗｅｂ画面と前記各監視映像１〜３とが順次最新のＷｅｂ画面と監視映像に更新されながら前記モニタ２０の４分割画面Ｇ１〜Ｇ４に分割されて同時に表示される。
【００４８】
一方、前記Ｗｅｂページ取得制御処理（ステップＳ３ｂ〜Ｓ５ｂ）に伴い、前記Ｗｅｂページ展開エリア１５ｂのメモリ使用量が、予め設定された閾値以上に達することで、メモリリーク等の障害が発生する恐れがあると判断された場合は（ステップＳ８（Ｙｅｓ））、前記Ｗｅｂページ取得制御処理（ステップＳ３ｂ〜Ｓ５ｂ）からのＷｅｂ画面の生成処理について再起動が開始される（ステップＳ９）。そして、前記作業メモリ１５のうちＷｅｂページ展開エリア１５ｂのデータがクリアされて初期化され、また、前記通信部１３のうちＷｅｂ−ＮＷ通信部１３ｂが再起動される（ステップＳ１０）。
【００４９】
この場合、前記ステップＳ６における分割画面生成処理では、図４（Ｂ）に示すように、分割画面Ｇ１に対するＷｅｂ画面のデータの割り当ては行われず、当該Ｗｅｂ画面について再起動中であることを示す表示状態になる。
【００５０】
この際、前記分割画面Ｇ１に割り当てられた再起動中であるのＷｅｂ画面を除いて、他の分割画面Ｇ２〜Ｇ４に割り当てられた各監視映像１〜３の取得と分割画面表示（ステップＳ２→Ｓ３ａ〜Ｓ５ａ，Ｓ６，Ｓ７，Ｓ１１→Ｓ２）はそのまま継続されるので、当該各監視映像１〜３に基づく災害監視を途切れなく行なうことができる。
【００５１】
この後、前記Ｗｅｂ画面の生成処理について再起動が完了すると、再び前記Ｗｅｂページ取得制御処理からの分割画面表示（ステップＳ２→Ｓ３ｂ〜Ｓ５ｂ，Ｓ８，Ｓ６）が、前記監視映像取得制御処理からの分割画面表示（ステップＳ２→Ｓ３ａ〜Ｓ５ａ，Ｓ６，Ｓ７）と並行して実行され、図４（Ａ）で示したように、再び、Ｗｅｂ画面と各監視映像１〜３とがモニタ２０の４分割画面Ｇ１〜Ｇ４に分割されて同時表示される。
【００５２】
したがって、前記構成のＩＰチューナ１０によれば、複数の監視映像１〜３を取得して映像展開し分割画面に表示させる監視映像取得制御処理からの分割画面表示と、Ｗｅｂページを取得して画像展開し前記分割画面に表示させるＷｅｂページ取得制御処理からの分割画面表示とを、別の処理に分けて並行して実行する。そして、前記Ｗｅｂページの画像データを展開するための作業メモリ１５におけるＷｅｂページ展開エリア１５ｂのメモリ使用量が、予め設定された閾値以上に達することで、メモリリーク等の障害が発生する恐れがあると判断された場合は、前記Ｗｅｂページ取得制御処理からの分割画面表示に係る処理のみを再起動する。
【００５３】
これにより、Ｗｅｂ画面の表示に起因する障害等の発生により再起動を行なった場合でも、監視映像を継続して表示させることが可能になる。
【００５４】
また、前記構成のＩＰチューナ１０によれば、前記Ｗｅｂページ展開エリア１５ｂにメモリリーク等の障害が実際に発生していなくても、そのメモリ使用量が、予め設定された閾値以上に達することで、前記障害が発生する恐れがあると判断された場合に、前記Ｗｅｂページ取得制御処理からの分割画面表示に係る処理のみを再起動するようにしたので、当該再起動に掛かる時間は、実際に障害が発生した場合の再起動に掛かる時間よりも大幅に短くて済み、前記監視映像の表示と同時に行うＷｅｂ画面の表示を長い時間できなくなってしまう事態を未然に防止できる。
【００５５】
なお、前記実施形態では、Ｗｅｂページ展開エリア１５ｂのメモリ使用量が、予め設定された閾値以上に達することで、メモリリーク等の障害が発生する恐れがあると判断された場合に、Ｗｅｂページ取得制御処理からの分割画面表示に係る処理のみを再起動する構成としたが、予めユーザによって指定された時間に定期的に再起動する構成としてもよい。これによれば、前記映像監視システムの使用中に予期せずに前記Ｗｅｂページに係る再起動が実施されてしまうのを防止することができる。
【００５６】
また、前記実施形態では、３つの監視映像１〜３とＷｅｂ画面とをモニタ２０の４分割画面Ｇ１〜Ｇ４に分割表示させる構成としたが、当該監視映像とＷｅｂ画面の数やモニタ２０の画面分割数はこれに限らず、前記監視カメラ３０ａ，３０ｂ，…の設置数に対応した監視映像１，２，…の数、前記Ｗｅｂページの選択数に対応したＷｅｂ画面の数に応じて、モニタ２０の画面分割数を設定すればよい。
【００５７】
さらに、前記実施形態の図２で示したＩＰチューナ１０の機能ブロック図では、通信部１３をＮＷ通信部１３ａとＷｅｂ−ＮＷ通信部１３ｂ、デコーダ部１４を映像デコーダ部１４ａとＷｅｂページデコーダ部１４ｂとして、監視映像の取得系統とＷｅｂページの取得系統を分けて記載したが、これは物理的に分かれたものでなく機能的に分かれていればよい。
【００５８】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００５９】
１０…ＩＰチューナ、１１…ＣＰＵ（制御部）、１２…プログラムメモリ、
１３…通信部、１３ａ…ＮＷ通信部、１３ｂ…Ｗｅｂ−ＮＷ通信部、
１４…デコーダ部、１４ａ…映像デコーダ部、１４ｂ…Ｗｅｂページデコーダ部、
１５…作業メモリ、１５ａ…映像展開エリア、１５ｂ…Ｗｅｂページ展開エリア、
１５ｃ…他の作業エリア、１６…表示メモリ、１７…操作入力部、１７Ｒ…リモコン、
２０…モニタ（画像表示装置）、Ｇ１〜Ｇ４…分割画面、
３０ａ〜３０ｃ…監視カメラ、４０ａ〜４０ｃ…エンコーダ装置、
５０1〜５０n…Ｗｅｂサーバ、ＮＷ…広域ネットワーク、
Ｗｅｂ−ＮＷ…インターネット。
【図１】
2018056947.tif 000003
【図２】
2018056947.tif 000004
【図３】
2018056947.tif 000005
【図４】
2018056947.tif 000006